(57)【要約】      （修正有）【課題】背部体の厚みを増す等の強度を強くしなくても、強度向上を図ることができる箱型ファイルを提供する。【解決手段】箱型ファイルＦは、周壁１ａを有した第１の面体１と、周壁２ａを有した第２の面体２と、この第２の面体２と第１の面体１とを接続する背部体３とを有する箱型ファイルＦであって、背部体３の一方の端に第１の膨出部材４が取り付けられ、背部体３の他方の端に第２の膨出部材５が取り付けられ、箱型ファイルＦを閉じた時、相対する第１の面体１の周壁１ａと第２の面体２の周壁２ａとが当接し、第１の膨出部材４の周端面が、部位Ａ、第１の面体１の周壁１ａの一方の立ちあがり部１ｂ、部位Ｃ及び第２の面体２の周壁の一方の立ち上がり部２ｂに当接し、第２の膨出部材５の周端面が、部位Ｂ、第１の面体１の周壁１ａの他方の立ち上がり部１ｃ、部位Ｄ及び第２の面体２の周壁２ａの他方の立ち上がり部２ｃに当接するものである。【選択図】図２
2019166693.tif 000002
【特許請求の範囲】
【請求項１】
周壁を有した第１の面体と、周壁を有した第２の面体と、この第２の面体と前記第１の面体とを接続する背部体とを有する箱型ファイルであって、
前記背部体の一方の端に第１の膨出部材が取り付けられ、
前記背部体の他方の端に第２の膨出部材が取り付けられ、
前記第１の面体の周壁は、前記第１の面体の縁部の一部を残して前記第１の面体の縁部に沿って設けられ、
前記第１の面体の縁部の一部を残した部位は、前記第１の膨出部材の周壁と前記第１の面体の周壁との間の第１の部位と前記第２の膨出部材の周壁と前記第１の面体の周壁との間の第１’の部位であり、
前記第２の面体の周壁は、前記第２の面体の縁部の一部を残して前記第２の面体の縁部に沿って設けられ、
前記第２の面体の縁部の一部を残した部位は、前記第２の膨出部材の周壁と前記第１の面体の周壁との間の第２の部位と前記第２の膨出部材の周壁と前記第２の面体の周壁との間の第２’の部位であり、
前記箱型ファイルを閉じた時、相対する前記第１の面体の周壁と前記第２の面体の周壁とが当接し、前記第１の膨出部材の周端面が、前記第１の部位、前記第１の面体の周壁の背部体側の一方の立ち上がり部、前記第２の部位及び前記第２の面体の周壁の背部体側の一方の立ち上がり部に当接し、前記第２の膨出部材の周端面が、前記第１’の部位、前記第１の面体の周壁の背部体側の他方の立ち上がり部、前記第２’の部位及び前記第２の面体の周壁の背部体側の他方の立ち上がり部に当接する
ことを特徴とすることを特徴とする箱型ファイル。
【請求項２】
周壁を有した第１の面体と、周壁を有した第２の面体と、この第２の面体と前記第１の面体とを接続する背部体とを有する箱型ファイルであって、
前記背部体の一方の端に第１の膨出部材が取り付けられ、
前記背部体の他方の端に第２の膨出部材が取り付けられ、
前記箱型ファイルを閉じた時、相対する前記第１の面体の周壁と前記第２の面体の周壁とが当接し、前記第１の膨出部材の周端面が、前記第１の面体の周壁の背部体側の一方の立ち上がり部及び前記第２の面体の周壁の背部体側の一方の立ち上がり部に当接し、前記第２の膨出部材の周端面が、前記第１の面体の周壁の背部体側の他方の立ち上がり部、及び前記第２の面体の周壁の背部体側の他方の立ち上がり部に当接する
ことを特徴とすることを特徴とする箱型ファイル。
【請求項３】
周壁を有した第１の面体と、第２の面体と、この第２の面体と前記第１の面体とを接続する背部体とを有する箱型ファイルであって、
前記背部体の一方の端に第１の膨出部材が取り付けられ、
前記背部体の他方の端に第２の膨出部材が取り付けられ、
前記第１の面体の周壁は、前記第１の面体の縁部に沿った平面視、略コ字状であり、    前記第１の面体の縁部の一部を残した部位は、前記第１の膨出部材の周壁と前記第１の面体との間の第１の部位と前記第２の膨出部材の周壁と前記第１の面体との間の第１’の部位であり、
前記箱型ファイルを閉じた時、前記第１の面体の周壁が前記第２の面体に当接し、前記第１の膨出部材の周端面が、前記第１の部位及び前記第１の面体の周壁の背部体側の一方の立ち上がり部に当接し、前記第２の膨出部材の周端面が、前記第１’の部位及び前記第１の面体の周壁の背部体側の他方の立ち上がり部に当接する
ことを特徴とすることを特徴とする箱型ファイル。
【請求項４】
周壁を有した第１の面体と、周壁を有した第２の面体と、この第２の面体と前記第１の面体とを接続する背部体とを有する箱型ファイルであって、
前記第１の面体の周壁は、前記第１の面体の下方縁部に沿った第１の略直線状部材であり、
前記第２の面体の周壁は、前記第２の面体の上方縁部に沿った第２の略直線状部材であり、
前記第１の面体と前記第２の面体を前記背部体を介して近づけると、前記第１の略直線状部材は、前記第２の面体の縁部に沿って当接し、前記第１の略直線状部材の前記背部体に近い側の先端部は、前記背部体の一方の端部に沿って当接し、前記第２の略直線状部材の前記背部体に近い側の先端部は、前記背部体の他方の端部に沿って当接し、前記箱型ファイルの内部を前記第１の面体、前記第２の面体、前記背部体、前記第１の略直線状部材及び前記第２の略直線状部材で囲む
ことを特徴とすることを特徴とする箱型ファイル。
【請求項５】
箱型ファイルの内部にある第１の面体及び/又は第２の面体に用紙の裏面が当接している
ことを特徴とする請求項４記載の箱型ファイル。
【請求項６】
周壁を有した第１の面体と、第２の面体と、この第２の面体と前記第１の面体とを接続する背部体とを有する箱型ファイルであって、
前記第１の面体の周壁は、前記第１の面体の下方縁部に沿った第１の略直線状部材及び前記第１の面体の上方縁部に沿った第２の略直線状部材であり、
前記第１の面体と前記第２の面体を前記背部体を介して近づけると、前記第１の略直線状部材及び前記第２の略直線状部材は、前記第２の面体の縁部に沿って当接し、前記第１の略直線状部材の前記背部体に近い側の先端部は、前記背部体の一方の端部に沿って当接し、前記第２の略直線状部材の前記背部体に近い側の先端部は、前記背部体の他方の端部に沿って当接し、前記箱型ファイルの内部を前記第１の面体、前記第２の面体、前記背部体、前記第１の略直線状部材及び前記第２の略直線状部材で囲む
ことを特徴とすることを特徴とする箱型ファイル。
【請求項７】
箱型ファイルの内部にある第２の面体に用紙の裏面が当接している
ことを特徴とする請求項６記載の箱型ファイル。
【発明の詳細な説明】
【技術分野】
【０００１】
本発明は、箱型ファイルに係り、特に、背部体全体の強度を強くしなくても、強度向上を図ることができる箱型ファイルに関する。
【背景技術】
【０００２】
従来、例えば、 長手方向の両端にヒンジ部１０，１０’を配設した背部１と、ヒンジ部１０、１０’に一側両側を取り付けて背部１の一側に回動可能に設け、内側に書類の綴込み具を備えた底部２０と、ヒンジ部１０、１０’に一側両側を取り付けて背部１の他側に底部２０と対向して回動可能に設け、底部２０と閉じ合わせたときに箱形に形成される蓋部３０とからなり、これら背部１、底部２０および蓋部３０をそれぞれ別個に合成樹脂材にて成型したファイルがある（特許文献１参照）。
【先行技術文献】
【特許文献】
【０００３】
【特許文献１】公開実用昭和５８−１５５２７０号
【発明の概要】
【発明が解決しようとする課題】
【０００４】
しかしながら、上記のファイルにあっては、対向する底壁２１、蓋壁３１にかかる荷重の一部を背部１が受けるため、背部１の厚みを増す等の背部１の強度を強くしなければならないという問題点があった。
【０００５】
本発明は、上記事情を考慮してなされた箱型ファイルを提供することを目的とする。
【課題を解決するための手段】
【０００６】
請求項１記載の箱型ファイルは、周壁を有した第１の面体と、周壁を有した第２の面体と、この第２の面体と前記第１の面体とを接続する背部体とを有する箱型ファイルであって、前記背部体の一方の端に第１の膨出部材が取り付けられ、前記背部体の他方の端に第２の膨出部材が取り付けられ、前記第１の面体の周壁は、前記第１の面体の縁部の一部を残して前記第１の面体の縁部に沿って設けられ、前記第１の面体の縁部の一部を残した部位は、前記第１の膨出部材の周壁と前記第１の面体の周壁との間の第１の部位と前記第２の膨出部材の周壁と前記第１の面体の周壁との間の第１’の部位であり、前記第２の面体の周壁は、前記第２の面体の縁部の一部を残して前記第２の面体の縁部に沿って設けられ、前記第２の面体の縁部の一部を残した部位は、前記第２の膨出部材の周壁と前記第１の面体の周壁との間の第２の部位と前記第２の膨出部材の周壁と前記第２の面体の周壁との間の第２’の部位であり、前記箱型ファイルを閉じた時、相対する前記第１の面体の周壁と前記第２の面体の周壁とが当接し、前記第１の膨出部材の周端面が、前記第１の部位、前記第１の面体の周壁の背部体側の一方の立ち上がり部、前記第２の部位及び前記第２の面体の周壁の背部体側の一方の立ち上がり部に当接し、前記第２の膨出部材の周端面が、前記第１’の部位、前記第１の面体の周壁の背部体側の他方の立ち上がり部、前記第２’の部位及び前記第２の面体の周壁の背部体側の他方の立ち上がり部に当接するものである。
【０００７】
また、請求項２記載の箱型ファイルは、周壁を有した第１の面体と、周壁を有した第２の面体と、この第２の面体と前記第１の面体とを接続する背部体とを有する箱型ファイルであって、前記背部体の一方の端に第１の膨出部材が取り付けられ、前記背部体の他方の端に第２の膨出部材が取り付けられ、前記箱型ファイルを閉じた時、相対する前記第１の面体の周壁と前記第２の面体の周壁とが当接し、前記第１の膨出部材の周端面が、前記第１の面体の周壁の背部体側の一方の立ち上がり部及び前記第２の面体の周壁の背部体側の一方の立ち上がり部に当接し、前記第２の膨出部材の周端面が、前記第１の面体の周壁の背部体側の他方の立ち上がり部、及び前記第２の面体の周壁の背部体側の他方の立ち上がり部に当接するものである。
【０００８】
また、請求項３記載の箱型ファイルは、周壁を有した第１の面体と、第２の面体と、この第２の面体と前記第１の面体とを接続する背部体とを有する箱型ファイルであって、前記背部体の一方の端に第１の膨出部材が取り付けられ、前記背部体の他方の端に第２の膨出部材が取り付けられ、前記第１の面体の周壁は、前記第１の面体の縁部に沿った平面視、略コ字状であり、前記第１の面体の縁部の一部を残した部位は、前記第１の膨出部材の周壁と前記第１の面体との間の第１の部位と前記第２の膨出部材の周壁と前記第１の面体との間の第１’の部位であり、前記箱型ファイルを閉じた時、前記第１の面体の周壁が前記第２の面体に当接し、前記第１の膨出部材の周端面が、前記第１の部位及び前記第１の面体の周壁の背部体側の一方の立ち上がり部に当接し、前記第２の膨出部材の周端面が、前記第１’の部位及び前記第１の面体の周壁の背部体側の他方の立ち上がり部に当接するものである。
【０００９】
また、請求項４記載の箱型ファイルは、周壁を有した第１の面体と、周壁を有した第２の面体と、この第２の面体と前記第１の面体とを接続する背部体とを有する箱型ファイルであって、前記第１の面体の周壁は、前記第１の面体の下方縁部に沿った第１の略直線状部材であり、前記第２の面体の周壁は、前記第２の面体の上方縁部に沿った第２の略直線状部材であり、前記第１の面体と前記第２の面体を前記背部体を介して近づけると、前記第１の略直線状部材は、前記第２の面体の縁部に沿って当接し、前記第１の略直線状部材の前記背部体に近い側の先端部は、前記背部体の一方の端部に沿って当接し、前記第２の略直線状部材の前記背部体に近い側の先端部は、前記背部体の他方の端部に沿って当接し、前記箱型ファイルの内部を前記第１の面体、前記第２の面体、前記背部体、前記第１の略直線状部材及び前記第２の略直線状部材で囲むものである。
【００１０】
また、請求項５記載の箱型ファイルは、請求項４記載の箱型ファイルにおいて、箱型ファイルの内部にある第１の面体及び/又は第２の面体に用紙の裏面が当接しているものである。
【００１１】
また、請求項６記載の箱型ファイルは、周壁を有した第１の面体と、第２の面体と、この第２の面体と前記第１の面体とを接続する背部体とを有する箱型ファイルであって、前記第１の面体の周壁は、前記第１の面体の下方縁部に沿った第１の略直線状部材及び前記第１の面体の上方縁部に沿った第２の略直線状部材であり、前記第１の面体と前記第２の面体を前記背部体を介して近づけると、前記第１の略直線状部材及び前記第２の略直線状部材は、前記第２の面体の縁部に沿って当接し、前記第１の略直線状部材の前記背部体に近い側の先端部は、前記背部体の一方の端部に沿って当接し、前記第２の略直線状部材の前記背部体に近い側の先端部は、前記背部体の他方の端部に沿って当接し、前記箱型ファイルの内部を前記第１の面体、前記第２の面体、前記背部体、前記第１の略直線状部材及び前記第２の略直線状部材で囲むものである。
【００１２】
また、請求項７記載の箱型ファイルは、請求項６記載の箱型ファイルにおいて、  箱型ファイルの内部にある第２の面体に用紙の裏面が当接しているものである。
【発明の効果】
【００１３】
請求項１記載の箱型ファイルによれば、箱型ファイルを閉じた時、相対する第１の面体の周壁と第２の面体の周壁とが当接し、第１の膨出部材の周端面が、第１の部位、第１の面体の周壁の背部体側の一方の立ち上がり部、第２の部位及び第２の面体の周壁の背部体側の一方の立ち上がり部に当接し、第２の膨出部材の周端面が、第１’の部位、第１の面体の周壁の背部体側の他方の立ち上がり部、第２’の部位及び第２の面体の周壁の背部体側の他方の立ち上がり部に当接するため、背部体に設けた第１、第２の膨出部材が第１、第２の面体の周壁にかかる荷重の一部を受けて、背部体の厚みを増す等の背部体自体が強度を強くしなくても、箱型ファイルの強度向上を図ることができる。
【００１４】
また、請求項２記載の箱型ファイルによれば、箱型ファイルを閉じた時、相対する第１の面体の周壁と第２の面体の周壁とが当接し、第１の膨出部材の周端面が、第１の面体の周壁の背部体側の一方の立ち上がり部及び第２の面体の周壁の背部体側の一方の立ち上がり部に当接し、第２の膨出部材の周端面が、第１の面体の周壁の背部体側の他方の立ち上がり部及び第２の面体の周壁の背部体側の他方の立ち上がり部に当接するため、背部体に設けた第１、第２の膨出部材が第１、第２の面体の周壁にかかる荷重の一部を受けて、背部体の厚みを増す等の背部体自体が強度を強くしなくても、箱型ファイルの強度向上を図ることができる。
【００１５】
また、請求項３記載の箱型ファイルによれば、箱型ファイルを閉じた時、第１の面体の周壁が第２の面体に当接し、第１の膨出部材の周端面が、第１の部位、第１の面体の周壁の背部体側の一方の立ち上がり部及び第２の面体の周壁の背部体側の一方の立ち上がり部に当接し、第２の膨出部材の周端面が、第１’の部位、第１の面体の周壁の背部体側の他方の立ち上がり部及び第２の面体の周壁の背部体側の他方の立ち上がり部に当接するため、背部体に設けた第１、第２の膨出部材が第１、第２の面体の周壁にかかる荷重の一部を受けて、背部体の厚みを増す等の背部体自体が強度を強くしなくても、箱型ファイルの強度向上を図ることができる。
【００１６】
また、請求項４記載の箱型ファイルによれば、第１の面体と第２の面体を背部体を介して近づけると、第１の略直線状部材は、第２の面体の縁部に沿って当接し、第１の略直線状部材の背部体に近い側の先端部は、背部体の一方の端部に沿って当接し、第２の略直線状部材の背部体に近い側の先端部は、背部体の他方の端部に沿って当接し、箱型ファイルの内部を第１の面体、第２の面体、背部体、第１の略直線状部材及び第２の略直線状部材で囲むため、第１、第２の略直線状部材により、第１、第２の面体の周壁にかかる荷重の一部を受けて、背部体の厚みを増す等の背部体自体が強度を強くしなくても、箱型ファイルの強度向上を図ることができる。
【００１７】
また、請求項５記載の箱型ファイルによれば、上述した請求項４記載の発明の効果に加え、箱型ファイルの内部にある第１の面体及び/又は第２の面体に用紙の裏面が当接しているため、用紙に筆記具で書き込む際、第１の面体にあつては、第１の略直線状部材の周壁、第２の面体にあつては、第２の略直線状部材の周壁を避けて、つまり、周壁が手に当たらないようにして、用紙に筆記具で書き込むことができる。
【００１８】
また、請求項６記載の箱型ファイルによれば、第１の略直線状部材及び第２の略直線状部材は、第２の面体の縁部に沿って当接し、第１の略直線状部材の背部体に近い側の先端部は、背部体の一方の端部に沿って当接し、第２の略直線状部材の背部体に近い側の先端部は、背部体の他方の端部に沿って当接し、箱型ファイルの内部を第１の面体、第２の面体、背部体、第１の略直線状部材及び第２の略直線状部材で囲むため、第１の略直線状部材、第２の略直線状部材により、第１、第２の面体の周壁にかかる荷重の一部を受けて、背部体の厚みを増す等の背部体自体が強度を強くしなくても、箱型ファイルの強度向上を図ることができる。
【００１９】
また、請求項７記載の箱型ファイルによれば、上述した請求項６記載の発明の効果に加え、箱型ファイルの内部にある第２の面体に用紙の裏面が当接しているため、周壁が手に当たらないようにして、用紙に筆記具で書き込むことができる。
【図面の簡単な説明】
【００２０】
【図１】図１は、本発明の一実施例の箱型ファイルの概略的斜視図である。
【図２】図２は、図１の箱型ファイルを開いた状態の概略的斜視図である。
【図３】図３は、図１の箱型ファイルと異なる他の実施例の箱型ファイルの概略的斜視図である。
【図４】図４は、図３の箱型ファイルを開いた状態の概略的斜視図である。
【図５】図５は、図３の箱型ファイルと異なる他の実施例の箱型ファイルの概略的側面図である。
【図６】図６は、図５の箱型ファイルを開く状態の概略的側面図である。
【図７】図７は、図５の箱型ファイルと異なる他の実施例の箱型ファイルの概略的側面図である。
【図８】図８は、図７の箱型ファイルを開いた状態の概略的斜視図である。
【図９】図９は、図７の箱型ファイルと異なる他の実施例の箱型ファイルの概略的斜視図である。
【図１０】図１０は、図９の箱型ファイルを開いた状態の概略的斜視図である。
【発明を実施するための形態】
【００２１】
本発明の一実施例の箱型ファイルを図面（図１乃至図１０）を参照して説明する。
図１及び図２に示すＦは箱型ファイルで、箱型ファイルＦは、内部に書類、写真、ＣＤ、ＤＶＤ等を収納することができる収納スペースを有している。
【００２２】
１は周壁１ａを有した第１の面体で、２は周壁２ａを有した第２の面体で、３は第２の面体２と第１の面体１とを接続する背部体で、箱型ファイルＦは、概略的に、これら第１の面体１、第２の面体２、背部体３を有している。
第１の面体１は、例えば、略長方形で（略長方形の他、略正方形、略Ｄ形状等でも良い。）、第２の面体２は、略長方形で（略長方形の他、略正方形、略Ｄ形状等でも良い。）、第１の面体１及び第２の面体２は、平面視、略同一である。
【００２３】
そして、背部体３の一方の端に第１の膨出部材４が取り付けられ、背部体３の他方の端に第２の膨出部材５が取り付けられている。
第１の膨出部材４と第２の膨出部材５は、第１の膨出部材４の中心と第２の膨出部材５の中心を結ぶ中心線の背部体３側に、背部体３と反対の側に、それぞれ膨出するようになっている。
上記した第１の面体１の周壁１ａは、第１の面体１の縁部の一部を残して第１の面体１の縁部に沿って設けられている。
上記した第１の面体１の縁部の一部を残した部位は、第１の膨出部材４の周壁と第１の面体１の周壁との間の第１の部位Ａと第２の膨出部材５の周壁と第１の面体１の周壁との間の第１’の部位Ｂである。
【００２４】
また、第２の面体２の周壁２ａは、第２の面体２の縁部の一部を残して第２の面体２の縁部に沿って設けられている。
上記した第２の面体２の縁部の一部を残した部位は、第２の面体２の縁部の一部を残した部位は、第２の膨出部材５の周壁と第１の面体１の周壁との間の第２の部位Ｃと第２の膨出部材５の周壁と第２の面体２の周壁との間の第２’の部位Ｄである。
【００２５】
そして、図１に示すように、箱型ファイＦを閉じた時、相対する第１の面体１の周壁と第２の面体２の周壁とが当接し、第１の膨出部材４の周端面が、第１の部位Ａ、第１の面体１の周壁の背部体側の一方の立ち上がり部１ｂ、第２の部位Ｃ及び第２の面体２の周壁の背部体側の一方の立ち上がり部２ｂに当接し、第２の膨出部材５の周端面が、第１’の部位Ｂ、第１の面体１の周壁の背部体側の他方の立ち上がり部１ｃ、第２’の部位Ｄ及び第２の面体２の周壁の背部体側の他方の立ち上がり部２ｃに当接するようになっている。
そのため、背部体３に設けた第１、第２の膨出部材４、５が第１、第２の面体１、２の周壁にかかる荷重の一部を受けて、背部体３の厚みを増す等の背部体３自体が強度を強くしなくても、箱型ファイルＦの強度向上を図ることができる。
【００２６】
なお、図１及び図２においては、背部体３全体を硬質部材で形成したが、本願発明にあってはこれに限らず、図示しないが、背部体３全体を硬質部材で形成し、背部体３の長手方向に平行な薄肉部を形成し、該薄肉部を介して湾曲する（隣接する複数のヒンジ体）ようにしても良いし、又、図３及び図４に示すように、一部、例えば、３ａ及び３ｂの部位を３ｃの部位より柔らかい素材で形成しても良い。また、図示しないが、３ａ、３ｂ、３ｃの部位の全てを柔らかい素材で屈曲自在に構成しても良い。
なお、図３及び図４に示す実施例においては、図１及び図２と同一部分に同一符号を付してその説明を省略する。
【００２７】
なお、図１乃至図４においては、第１、第２の面体１、２にそれぞれ周壁１ａ、２ａを設けるようにしたが、本願発明にあってはこれに限らず、図５及び図６に示すように、第１の面体１にのみ周壁１ａを設けるようにしても良い。
即ち、箱型ファイルＦは、周壁１ａを有した第１の面体１と、第２の面体２と、この第２の面体２と第１の面体１とを接続する背部体３とを有する。
本実施例においては、第１の面体１及び第２の面体２は、略長方形であるが、本願発明にあっては、これに限らず、第１の面体１及び第２の面体２は、例えば、略正方形、略Ｄ形状等で、第１の面体１及び第２の面体２は、平面視、略同一である。
【００２８】
背部体３の一方の端に第１の膨出部材４が取り付けられ、背部体３の他方の端に第２の膨出部材５が取り付けられている。
また、第１の面体１の周壁１ａは、第１の面体１の縁部に沿った平面視、略コ字状であり、第１の面体１の縁部の一部を残した部位は、第１の膨出部材４の周壁と第１の面体１との間の第１の部位Ａと第２の膨出部材５の周壁と第１の面体１との間の第１’の部位Ｂである。
【００２９】
そして、箱型ファイルＦを閉じた時、第１の面体１の周壁１ａが第２の面体２に当接し、第１の膨出部材４の周端面が、第１の部位Ａ及び第１の面体１の周壁の背部体側の一方の立ち上がり部１ｂに当接し、第２の膨出部材５の周端面が、第１’の部位Ｂ及び第１の面体１の周壁の背部体側の他方の立ち上がり部１ｃに当接するようになっている。
そのため、背部体３に設けた第１、第２の膨出部材４、５が第１、第２の面体１、２の周壁にかかる荷重の一部を受けて、背部体３の厚みを増す等の背部体自体が強度を強くしなくても、箱型ファイルＦの強度向上を図ることができる。
【００３０】
なお、図１及び図２においては、第１、第２の面体１、２の周縁に沿って周壁１ａ、２ａを設けるようにしたが、本願発明にあってはこれに限らず、図７び図８に示すように、第１の略直線状部材６’、第２の略直線状部材７’を設けるようにしても良い（図７及び図８）。
【００３１】
即ち、箱型ファイＦは、周壁６’を有した第１の面体１と、周壁７’を有した第２の面体２と、この第２の面体２と第１の面体１とを接続する背部体３とを有する。
第１の面体１は、例えば、略長方形で（略長方形の他、略正方形、略Ｄ形状等でも良い。）、第２の面体２は、略長方形で（略長方形の他、略正方形、略Ｄ形状等でも良い。）、第１の面体１及び第２の面体２は、平面視、略同一である。
【００３２】
第１の面体１の周壁６’は、第１の面体１の下方縁部に沿った第１の略直線状部材６’であり、第２の面体２の周壁７’は、第２の面体２の上方縁部に沿った第２の略直線状部材７’である。
図７に示すように、第１の面体１と第２の面体２を背部体３を介して近づけると、第１の略直線状部材６’は、第２の面体２の縁部に沿って当接し、第１の略直線状部材６’の背部体３に近い側の先端部６’Ｘは、背部体３の一方の端部３Ｘに沿って当接し、第２の略直線状部材７’の背部体３に近い側の先端部７’Ｙは、背部体３の他方の端部３Ｙに沿って当接し、箱型ファイルＦの内部を第１の面体１、第２の面体２、背部体３、第１の略直線状部材６’及び第２の略直線状部材７’で囲むこととなる。
なお、図８に示す８、９は、箱型ファイルＦの内部を第１の面体１、第２の面体２、背部体３、第１の略直線状部材６’及び第２の略直線状部材７’で囲む際、第１の略直線状部材６’と第２の略直線状部材７’の間の空間を覆う第１の周壁、第２の周壁であり、
第１の周壁８は第１の面体１の左縁部に、第２の周壁は第２の面体２の上縁部に、それぞれ取り付けられている。
【００３３】
その結果、図７及び図８記載の箱型ファイルＦによれば、第１の面体１と第２の面体２を背部体３を介して近づけると、第１の略直線状部材６’は、第２の面体２の縁部に沿って当接し、第１の略直線状部材６’の背部体３に近い側の先端部６’Ｘは、背部体３の一方の端部３Ｘに沿って当接し、第２の略直線状部材７’の背部体３に近い側の先端部７’Ｙは、背部体３の他方の端部３Ｙに沿って当接し、箱型ファイルＦの内部を第１の面体１、第２の面体２、背部体３、第１の略直線状部材６’及び第２の略直線状部材７’で囲むため、第１、第２の略直線状部材６’、７’により、第１、第２の面体１、２の周壁にかかる荷重の一部を受けて、背部体３の厚みを増す等の背部体３自体が強度を強くしなくても、箱型ファイルＦの強度向上を図ることができる。
【００３４】
なお、図８に示す１００は、箱型ファイルＦの内部にある第１の面体１に裏面が当接している用紙であり、２００は、箱型ファイルＦの内部にある第２の面体２に裏面が当接している用紙である。図８に示す状態であれば、周壁が手に当たらないようにして、用紙１００、２００に筆記具（図示せず）で書き込むことができる。
用紙１００、２００は、図８に示すように第１の面体１、第２の面体２のそれぞれに設けるようにしても良いし、第１の面体１、第２の面体２の何れか一方に用紙を設けるようにしても良い。
【００３５】
また、図７及び図８においては、第１の面体１に第１の略直線状部材６’、第２の面体２に第２の略直線状部材７’を設けるようにしたが、本願発明にあってはこれに限らず、図１０に示すように、第１の面体１に第１の略直線状部材６’、第２の略直線状部材７’を設けるようにしても良い。
【００３６】
即ち、箱型ファイルＦは、周壁を有した第１の面体１と、第２の面体２と、この第２の面体２と第１の面体１とを接続する背部体３とを有する。
第１の面体１は、例えば、略長方形で（略長方形の他、略正方形、略Ｄ形状等でも良い。）、第２の面体２は、略長方形で（略長方形の他、略正方形、略Ｄ形状等でも良い。）、第１の面体１及び第２の面体２は、平面視、略同一である。
【００３７】
第１の面体１の周壁６’、７’は、第１の面体１の下方縁部に沿った第１の略直線状部材６’及び第１の面体１の上方縁部に沿った第２の略直線状部材７’である。図１０に示すように、第１の面体１と第２の面体２を背部体３を介して近づけると、第１の略直線状部材６’及び第２の略直線状部材７’は、第２の面体２の縁部に沿って当接し、第１の略直線状部材６’の背部体３に近い側の先端部６’Ｘは、背部体３の一方の端部３Ｘに沿って当接し、第２の略直線状部材７’の背部体３に近い側の先端部７’Ｙは、背部体３の他方の端部３Ｙに沿って当接し、箱型ファイルＦの内部を第１の面体１、第２の面体２、背部体３、第１の略直線状部材６’及び第２の略直線状部材７’で囲むこととなる。
なお、図１０に示す８、９は、箱型ファイルＦの内部を第１の面体１、第２の面体２、背部体３、第１の略直線状部材６’及び第２の略直線状部材７’で囲む際、第１の略直線状部材６’と第２の略直線状部材７’の間の空間を覆う第１の周壁、第２の周壁であり、第１の周壁８は第１の面体１の左縁部に、第２の周壁９は第１の面体１の上縁部に、それぞれ取り付けられている。
【００３８】
その結果、図９及び図１０記載の箱型ファイルＦによれば、第１の略直線状部材６’及び第２の略直線状部材７’は、第２の面体２の縁部に沿って当接し、第１の略直線状部材６’の背部体３に近い側の先端部６’は、背部体３の一方の端部３Ｘに沿って当接し、第２の略直線状部材７’の背部体３に近い側の先端部７’Ｙは、背部体３の他方の端部３Ｙに沿って当接し、箱型ファイルＦの内部を第１の面体１、第２の面体２、背部体３、第１の略直線状部材６’及び第２の略直線状部材７’で囲むため、第１の略直線状部材６’、第２の略直線状部材７’により、第１、第２の面体１、２の周壁にかかる荷重の一部を受けて、背部体３の厚みを増す等の背部体３自体が強度を強くしなくても、箱型ファイルＦの強度向上を図ることができる。
【００３９】
なお、図１０に示す２００は、箱型ファイルＦの内部にある第２の面体２にに裏面が当接している用紙である。図１０に示す状態であれば、周壁が手に当たらないようにして、用紙２００に筆記具（図示せず）で書き込むことができる。
【００４０】
また、上述した図１乃至図４記載の実施例においては、第１の部位Ａ、第１’の部位Ｂ、第２の部位Ｃ及び第２’の部位Ｄを設けるようにしたが、第１の膨出部材４及び第２の膨出部材５の形状が六角形、半円、弧状の場合、第１の部位Ａ、第１’の部位Ｂ、第２の部位Ｃ及び第２’の部位Ｄが無くても良い。この場合の箱型ファイルは、壁を有した第１の面体と、周壁を有した第２の面体と、この第２の面体と前記第１の面体とを接続する背部体とを有する箱型ファイルであって、前記背部体の一方の端に第１の膨出部材が取り付けられ、前記背部体の他方の端に第２の膨出部材が取り付けられ、前記箱型ファイルを閉じた時、相対する前記第１の面体の周壁と前記第２の面体の周壁とが当接し、前記第１の膨出部材の周端面が、前記第１の面体の周壁の背部体側の一方の立ち上がり部及び前記第２の面体の周壁の背部体側の一方の立ち上がり部に当接し、前記第２の膨出部材の周端面が、前記第１の面体の周壁の背部体側の他方の立ち上がり部及び前記第２の面体の周壁の背部体側の他方の立ち上がり部に当接することとなる。
この箱型ファイルによれば、箱型ファイルを閉じた時、相対する第１の面体の周壁と第２の面体の周壁とが当接し、第１の膨出部材の周端面が、第１の面体の周壁の背部体側の一方の立ち上がり部及び第２の面体の周壁の背部体側の一方の立ち上がり部に当接し、第２の膨出部材の周端面が、第１の面体の周壁の背部体側の他方の立ち上がり部及び第２の面体の周壁の背部体側の他方の立ち上がり部に当接するため、背部体に設けた第１、第２の膨出部材が第１、第２の面体の周壁にかかる荷重の一部を受けて、背部体の厚みを増す等の背部体自体が強度を強くしなくても、箱型ファイルの強度向上を図ることができる。
【符号の説明】
【００４１】
Ｆ      箱型ファイル
１ａ    周壁
１ｂ    一方の立ち上がり部
１ｃ    他方の立ち上がり部
１      第１の面体
２      第２の面体
２ａ    周壁
２ｂ    一方の立ち上がり部
２ｃ    他方の立ち上がり部
３      背部体
４      第１の膨出部材
５      第２の膨出部材
Ａ      第１の部位
Ｂ      第１’の部位
Ｃ      第２の部位
Ｄ      第２’の部位
【図１】
2019166693.tif 000003
【図２】
2019166693.tif 000004
【図３】
2019166693.tif 000005
【図４】
2019166693.tif 000006
【図５】
2019166693.tif 000007
【図６】
2019166693.tif 000008
【図７】
2019166693.tif 000009
【図８】
2019166693.tif 000010
【図９】
2019166693.tif 000011
【図１０】
2019166693.tif 000012
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
周壁を有した第１の面体と、周壁を有した第２の面体と、この第２の面体と前記第１の面体とを接続する背部体とを有する箱型ファイルであって、
前記背部体の一方の端に第１の膨出部材が取り付けられ、
前記背部体の他方の端に第２の膨出部材が取り付けられ、
前記第１の面体の周壁は、前記第１の面体の縁部の一部を残して前記第１の面体の縁部に沿って設けられ、
前記第１の面体の縁部の一部を残した部位は、前記第１の膨出部材の周壁と前記第１の面体の周壁との間の第１の部位と前記第２の膨出部材の周壁と前記第１の面体の周壁との間の第１’の部位であり、
前記第２の面体の周壁は、前記第２の面体の縁部の一部を残して前記第２の面体の縁部に沿って設けられ、
前記第２の面体の縁部の一部を残した部位は、前記第２の膨出部材の周壁と前記第１の面体の周壁との間の第２の部位と前記第２の膨出部材の周壁と前記第２の面体の周壁との間の第２’の部位であり、
前記箱型ファイルを閉じた時、相対する前記第１の面体の周壁と前記第２の面体の周壁とが当接し、前記第１の膨出部材の周端面が、前記第１の部位、前記第１の面体の周壁の背部体側の一方の立ち上がり部、前記第２の部位及び前記第２の面体の周壁の背部体側の一方の立ち上がり部に当接し、前記第２の膨出部材の周端面が、前記第１’の部位、前記第１の面体の周壁の背部体側の他方の立ち上がり部、前記第２’の部位及び前記第２の面体の周壁の背部体側の他方の立ち上がり部に当接する
ことを特徴とすることを特徴とする箱型ファイル。
【請求項２】
周壁を有した第１の面体と、第２の面体と、この第２の面体と前記第１の面体とを接続する背部体とを有する箱型ファイルであって、
前記背部体の一方の端に第１の膨出部材が取り付けられ、
前記背部体の他方の端に第２の膨出部材が取り付けられ、
前記第１の面体の周壁は、前記第１の面体の縁部に沿った平面視、略コ字状であり、    前記第１の面体の縁部の一部を残した部位は、前記第１の膨出部材の周壁と前記第１の面体との間の第１の部位と前記第２の膨出部材の周壁と前記第１の面体との間の第１’の部位であり、
前記箱型ファイルを閉じた時、前記第１の面体の周壁が前記第２の面体に当接し、前記第１の膨出部材の周端面が、前記第１の部位及び前記第１の面体の周壁の背部体側の一方の立ち上がり部に当接し、前記第２の膨出部材の周端面が、前記第１’の部位及び前記第１の面体の周壁の背部体側の他方の立ち上がり部に当接する
ことを特徴とすることを特徴とする箱型ファイル。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
また、請求項２記載の箱型ファイルは、周壁を有した第１の面体と、第２の面体と、この第２の面体と前記第１の面体とを接続する背部体とを有する箱型ファイルであって、前記背部体の一方の端に第１の膨出部材が取り付けられ、前記背部体の他方の端に第２の膨出部材が取り付けられ、前記第１の面体の周壁は、前記第１の面体の縁部に沿った平面視、略コ字状であり、前記第１の面体の縁部の一部を残した部位は、前記第１の膨出部材の周壁と前記第１の面体との間の第１の部位と前記第２の膨出部材の周壁と前記第１の面体との間の第１’の部位であり、前記箱型ファイルを閉じた時、前記第１の面体の周壁が前記第２の面体に当接し、前記第１の膨出部材の周端面が、前記第１の部位及び前記第１の面体の周壁の背部体側の一方の立ち上がり部に当接し、前記第２の膨出部材の周端面が、前記第１’の部位及び前記第１の面体の周壁の背部体側の他方の立ち上がり部に当接するものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、請求項２記載の箱型ファイルによれば、箱型ファイルを閉じた時、第１の面体の周壁が第２の面体に当接し、第１の膨出部材の周端面が、第１の部位、第１の面体の周壁の背部体側の一方の立ち上がり部及び第２の面体の周壁の背部体側の一方の立ち上がり部に当接し、第２の膨出部材の周端面が、第１’の部位、第１の面体の周壁の背部体側の他方の立ち上がり部及び第２の面体の周壁の背部体側の他方の立ち上がり部に当接するため、背部体に設けた第１、第２の膨出部材が第１、第２の面体の周壁にかかる荷重の一部を受けて、背部体の厚みを増す等の背部体自体が強度を強くしなくても、箱型ファイルの強度向上を図ることができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】